(57)【要約】【課題】台紙側にあたる部分に段差のある形状の物品を包装して、シュリンクフィルムを収縮させても、台紙が反ってしまう恐れのないシュリンクフィルム付台紙とそれを用いた包装体を提供する。【解決手段】台紙１のおもて面に、筒状のシュリンクフィルム２が、接着剤を介し取り付けられているシュリンクフィルム付台紙であって、台紙には、縦方向に縦スリット４が設けられていて、縦スリットの左右に、それぞれ接着剤を塗布した接着剤塗布部３が設けられ、筒状のシュリンクフィルムの開口端が上下になるように取り付けられている。また、縦スリットの上端より、左右に伸びる横方向の横スリット５が設けられ、さらに、縦スリットをまたぐように縦方向の折罫６ａと、横スリットの左右端から上下に伸びる折罫６ｂ、６ｃが設けられている。【選択図】図１
2015160645.tif 000002
【特許請求の範囲】
【請求項１】
台紙のおもて面に、筒状のシュリンクフィルムが、接着剤を介し取り付けられているシュリンクフィルム付台紙であって、
前記台紙には、縦方向に縦スリットが設けられていて、
該縦スリットの左右に、それぞれ前記接着剤を塗布した接着剤塗布部が設けられ、筒状のシュリンクフィルムの開口端が上下になるように取り付けられていることを特徴とするシュリンクフィルム付台紙。
【請求項２】
前記縦スリットの上端より、左右に伸びる横方向の横スリットが設けられていることを特徴とする請求項１に記載のシュリンクフィルム付台紙。
【請求項３】
前記縦スリットの下端より、左右に伸びる横方向の第２横スリットが設けられていることを特徴とする請求項２に記載のシュリンクフィルム付台紙。
【請求項４】
前記縦スリットをまたぐように縦方向の折罫が設けられていて、さらに、前記横スリットの左右端から上下に伸びる折罫が設けられていることを特徴とする請求項２または３に記載のシュリンクフィルム付台紙。
【請求項５】
請求項１から４のいずれか１項記載のシュリンクフィルム付台紙を用いた包装体であって、
前記筒状のシュリンクフィルムの中に物品が収納され、該シュリンクフィルムが収縮した状態で、前記物品が前記縦スリットを押し開いて台紙の裏面に部分的に露出していることを特徴とする包装体。
【発明の詳細な説明】
【技術分野】
【０００１】
本発明は、シュリンクフィルム付台紙およびそれを用いた包装体に関するものである。
【背景技術】
【０００２】
表示やデザインを印刷した台紙とともに、商品となる物品を、見えるように収納した包装には、熱成形したプラスチックシートに物品を収納して、台紙で塞ぐ、ブリスター包装や、台紙の上に物品を載せて、上から加熱したフィルムで直接包装する、スキンパックがある。
【０００３】
また、台紙に接着剤を塗布して筒状のシュリンクフィルムを接着して一体化させ、シュリンクフィルムの筒の中に物品を収納し、加熱してシュリンクフィルムを収縮させ、物品に被着させた包装がある。あるいは、台紙に切り込みにより舌状片を形成させ、筒状のシュリンクフィルムを舌状片に挿通させて一体化させた包装もある（特許文献１）。
【０００４】
このようなシュリンクフィルム付台紙を用いた場合、物品の台紙側にあたる部分が、段差のある形状だった場合、段差部分がシュリンクフィルムで覆われていないと、台紙の上下の中間部分が出っ張るように反ってしまう、あるいは、段差部分がシュリンクフィルムで覆われていると、シュリンクフィルムの収縮によって引っ張られ、台紙の上下の中間部分がへこむように反ってしまう恐れがあり、やはり、美粧性を失う可能性があった。
【０００５】
公知文献を以下に示す。
【先行技術文献】
【特許文献】
【０００６】
【特許文献１】実開平６−８５２４７号公報
【発明の概要】
【発明が解決しようとする課題】
【０００７】
本発明は上記した事情に鑑みてなされたもので、台紙側にあたる部分に段差のある形状の物品を包装して、シュリンクフィルムを収縮させても、台紙が反ってしまう恐れのないシュリンクフィルム付台紙とそれを用いた包装体を提供することを課題としている。
【課題を解決するための手段】
【０００８】
本発明の請求項１に係る発明は、台紙のおもて面に、筒状のシュリンクフィルムが、接着剤を介し取り付けられているシュリンクフィルム付台紙であって、
前記台紙には、縦方向に縦スリットが設けられていて、
該縦スリットの左右に、それぞれ前記接着剤を塗布した接着剤塗布部が設けられ、筒状のシュリンクフィルムの開口端が上下になるように取り付けられていることを特徴とするシュリンクフィルム付台紙である。
【０００９】
本発明の請求項２に係る発明は、前記縦スリットの上端より、左右に伸びる横方向の横スリットが設けられていることを特徴とする請求項１に記載のシュリンクフィルム付台紙である。
【００１０】
本発明の請求項３に係る発明は、前記縦スリットの下端より、左右に伸びる横方向の第２横スリットが設けられていることを特徴とする請求項２に記載のシュリンクフィルム付台紙である。
【００１１】
本発明の請求項４に係る発明は、前記縦スリットをまたぐように縦方向の折罫が設けられていて、さらに、前記横スリットの左右端から上下に伸びる折罫が設けられていることを特徴とする請求項２または３に記載のシュリンクフィルム付台紙である。
【００１２】
本発明の請求項５に係る発明は、請求項１から４のいずれか１項記載のシュリンクフィルム付台紙を用いた包装体であって、
前記筒状のシュリンクフィルムの中に物品が収納され、該シュリンクフィルムが収縮した状態で、前記物品が前記縦スリットを押し開いて台紙の裏面に部分的に露出していることを特徴とする包装体である。
【発明の効果】
【００１３】
本発明のシュリンクフィルム付台紙は、台紙側にあたる部分に段差のある形状の物品を包装して、シュリンクフィルムを収縮させても、台紙が反ってしまう恐れがない。このため、このシュリンクフィルム付台紙を用いた包装体は、美粧性に優れている。
【図面の簡単な説明】
【００１４】
【図１】本発明のシュリンクフィルム付台紙の第１の実施形態を模式的に示した説明図である。
【図２】本発明のシュリンクフィルム付台紙の第１の実施形態のシュリンクフィルムを取り付ける前の状態を模式的に示した説明図である。
【図３】本発明のシュリンクフィルム付台紙の第１の実施形態に物品を挿入した状態を模式的に示した説明図である。
【図４】本発明のシュリンクフィルム付台紙の第１の実施形態で物品を包装した包装体を模式的に示した説明図である。
【図５】（Ａ）本発明のシュリンクフィルム付台紙の第１の実施形態で物品を包装した包装体を上から見た状態を模式的に示した説明図である。（Ｂ）本発明のシュリンクフィルム付台紙の第１の実施形態で物品を包装した包装体を横から見た状態を模式的に示した説明図である。
【図６】（Ａ）（Ｂ）本発明のシュリンクフィルム付台紙の他の例でシュリンクフィルムを取り付ける前の台紙の状態を模式的に示した説明図である。
【図７】本発明のシュリンクフィルム付台紙の第２の実施形態を模式的に示した説明図である。
【図８】本発明のシュリンクフィルム付台紙の第２の実施形態のシュリンクフィルムを取り付ける前の状態を模式的に示した説明図である。
【図９】本発明のシュリンクフィルム付台紙の第２の実施形態で物品を包装した包装体を模式的に示した説明図である。
【図１０】（Ａ）本発明のシュリンクフィルム付台紙の第２の実施形態で物品を包装した包装体を上から見た状態を模式的に示した説明図である。（Ｂ）本発明のシュリンクフィルム付台紙の第２の実施形態で物品を包装した包装体を横から見た状態を模式的に示した説明図である。
【発明を実施するための形態】
【００１５】
以下本発明を実施するための形態につき説明する。
本発明のシュリンクフィルム付台紙に用いる台紙１には、紙、プラスチックシート、或いは金属板などの板状のものが使用できる。紙としては、厚紙で腰のあるものであれば、特に限定されない。また表面にアルミ蒸着層のあるアルミ蒸着紙なども使用できる。
【００１６】
シュリンクフィルム２には、熱で収縮するフィルムであればよく、また、筒が細くなる方向の収縮が、筒が短くなる方向の収縮より大きいフィルムが、シュリンク包装を行う際
の収縮時に、包装される物品８がシュリンクフィルム２から外れることがないので、本用途には適している。
【００１７】
シュリンクフィルム２の材質としては、ポリスチレン、ポリ塩化ビニル、ポリプロピレン、ポリエチレン、或いは、ポリエステル系の樹脂が好ましく用いられる。ポリエステル系の樹脂として、農産物由来の持続可能な素材である、ポリ乳酸を用いることも可能であり、環境に対応した包装として好ましく用いることができる。
【００１８】
接着剤塗布部３に塗布する接着剤には、粘着剤を用いても良い。また、ホットメルト接着剤を用いても良い。特に日の当たる店頭などで、高温に曝されることを考慮すると反応型ホットメルト接着剤が好ましく用いることができる。
【００１９】
従来のホットメルト接着剤は、熱可塑性樹脂を成分として、固形のホットメルト接着剤を加熱、融解して塗布し、冷却することにより固化・接着するものであり、加熱溶融させて用いるため、耐熱性の点では限界がある。
【００２０】
反応型ホットメルト接着剤は、最初は固形であって、これを加熱溶融させて用いることは、従来の可塑性樹脂のホットメルト接着剤と同じであるが、塗布、冷却後に、反応が進み硬化して、耐熱性などの物性の高い接着性が得られる。
【００２１】
ウレタン樹脂を主成分とした反応型ホットメルト接着剤は、加熱溶融により生成されたウレタンプレポリマーが冷却されると、末端イソシアネート基を残した状態で固化し、冷却された後も、空気中や被着材に含まれる水分と末端イソシアネート基が反応し、高分子化が進み、より耐熱性の高い接着性を得ることができる。ウレタン樹脂を主成分とした反応型ホットメルト接着剤は、塗布後に特に硬化を進めるための処理を必要としないので、好ましく用いることができる。
【００２２】
＜第１の実施形態＞
以下、本発明を実施するための第１の実施形態につき説明する。
【００２３】
図１は、本発明のシュリンクフィルム付台紙の第１の実施形態を模式的に示した説明図、図２は、本発明のシュリンクフィルム付台紙の第１の実施形態のシュリンクフィルムを取り付ける前の状態を模式的に示した説明図、図３は、本発明のシュリンクフィルム付台紙の第１の実施形態に物品を挿入した状態を模式的に示した説明図、図４は、本発明のシュリンクフィルム付台紙の第１の実施形態で物品を包装した包装体を模式的に示した説明図、図５（Ａ）は、本発明のシュリンクフィルム付台紙の第１の実施形態で物品を包装した包装体を上から見た状態を模式的に示した説明図、（Ｂ）は、本発明のシュリンクフィルム付台紙の第１の実施形態で物品を包装した包装体を横から見た状態を模式的に示した説明図、図６（Ａ）（Ｂ）は、本発明のシュリンクフィルム付台紙の他の例でシュリンクフィルムを取り付ける前の台紙の状態を模式的に示した説明図である。
【００２４】
第１の実施形態のシュリンクフィルム付台紙１００は、図１のように、台紙１のおもて面に筒状にしたシュリンクフィルム２を接着剤塗布部３の接着剤を介して取り付けられている。
【００２５】
台紙１には図２のように、左右中央部分に縦方向に縦スリット４が設けられている。また、縦スリット４の上端より左右に伸びる横方向の横スリット５が設けられている。また、接着剤を塗布した接着剤塗布部３が、縦スリット４の左右で、横スリット５の下方に設けられている。さらに、本実施形態では、接着剤塗布部３が横スリット５の上方にも設けられている。
【００２６】
また、台紙１には、縦スリット４をまたぐように縦方向の折罫６ａが設けられていて、さらに、横スリット５の左右端から上下に伸びる折罫６ｂ、６ｃが設けられている。そして、台紙１の左右中央の上端部近傍に貫通孔７が設けられている。貫通孔７は、店舗などで吊り下げて陳列するときに、フックなどに掛けるための吊り下げ孔である。
【００２７】
筒状にしたシュリンクフィルム２は、平らなシュリンクフィルムを両側縁が重なるように、筒状に丸めて重なり合った側縁部分を接着して封筒貼り部を設けて、筒状とし、この封筒貼りしたシュリンクフィルムを、筒をつぶすように折って、図２のように、筒状のシュリンクフィルム２としたものである。
【００２８】
この筒状のシュリンクフィルム２を台紙１に接着剤塗布部３の接着剤を介して取り付け、図1のような、シュリンクフィルム付台紙１００を構成している。
【００２９】
図３は、本実施形態のシュリンクフィルム付台紙１００に包装する物品８を挿入した状態を示している。物品８は、容器本体８ａとキャップ８ｂとからなるボトルである。物品８は、容器本体８ａとキャップ８ｂの太さの違いから段差のある形状となっている。
【００３０】
この物品８を挿入したシュリンクフィルム付台紙１００を、シュリンクトンネルを通したりして、加熱すると、図４のように、シュリンクフィルム２が収縮して物品８に密着して、包装される。
【００３１】
図５（Ａ）は、物品を包装したシュリンクフィルム付台紙１００を上から見た状態、（Ｂ）は横から見た状態である。このように、縦スリット４を押し開いて、物品８の一部が台紙１の裏側に出てくる。このようになるので、台紙１が上下に反ってしまうことを防いでいる。
【００３２】
また、縦に３本の折罫が折罫６ａ、６ｂ、６ｃが設けられているので、左右に反ってしまうことも防止できる。そして、シュリンクフィルム付台紙１００に物品を包装した包装体は美粧性が優れている。
【００３３】
本実施形態のシュリンクフィルム付台紙１００では、台紙１に、縦に３本の折罫６ａ、６ｂ、６ｃを設けたが、物品８の厚さがあまりないときには左右に反ってしまう恐れがないので、図６（Ａ）のように、これを省略することもできる。また、横スリット５を設けたが、縦スリット４を長くしておいて、図６（Ｂ）のように、横スリットを省略しても良い。
【００３４】
本実施形態では横スリット５を一本刃で幅の無いスリットで設け、縦スリット４を貫通孔にして幅のあるスリットで設けたが、これに限ることなく、横スリット５や縦スリット４を幅の無いスリットや幅のあるスリットにしたり、あるいは破線状の切れ目で設けておき、加熱してシュリンクフィルム２が収縮するときに、切れ目が破断してスリットになるようにしたりしてもよい。
【００３５】
本発明のシュリンクフィルム付台紙１００の製造方法に付いて説明する。
【００３６】
シュリンクフィルム２は、幅広で長尺のシュリンクフィルムに必要に応じて印刷を施し、スリットして、幅方向の両端を重ね合わせて、封筒貼りして封筒貼り部を設け、決められた折径になるように筒状にし、筒をつぶすように折って長尺のまま紙管に巻き取っておく。
【００３７】
台紙１も、必要に応じて印刷を施した多面付けの台紙用紙から、断裁や、抜き工程によって、1枚ずつ切り離された台紙１としておく。このとき、縦スリット４、横スリット５、及び、貫通孔７を同時に抜き工程で設けることができる。また、折罫６ａ、６ｂ、６ｃも押罫で設ける。
【００３８】
台紙１の所定の位置に、接着剤を塗布し、接着剤塗布部３を設ける。先に、紙管に巻き取られていた長尺の筒状のシュリンクフィルム２を所定の長さに切断し、図２のように加工する。次に、接着剤塗布部３の接着剤を介して接着させ、固定して取り付け、図１のようなシュリンクフィルム付台紙１００を作成する。
【００３９】
このシュリンクフィルム付台紙１００を用いて、物品８を包装するには、シュリンクフィルム付台紙１００のシュリンクフィルム２の筒状の中に物品８を、図３のように、挿入する。
【００４０】
シュリンクフィルム２の筒状の中に物品８が挿入されたシュリンクフィルム付台紙１００は、シュリンクトンネルなどで、１００℃近辺で加熱して、シュリンクフィルム２を収縮させるシュリンク包装を行い、シュリンクフィルム２を物品８に密着させて、物品８がシュリンクフィルム付台紙１００で包装された包装体が、図４、図５（Ａ）（Ｂ）のように出来上がる。
【００４１】
このとき、シュリンクフィルム２を物品８に密着させた後も、加熱しさらに収縮させると縦スリットが開いて、この部分のシュリンクフィルム２が縦に裂ける。これにより、消費者が、物品８をシュリンクフィルム付台紙１００から取り出すのが容易なる。
【００４２】
＜第２の実施形態＞
以下本発明を実施するための第２の実施形態につき説明する。
図７は、本発明のシュリンクフィルム付台紙の第２の実施形態を模式的に示した説明図、図８は、本発明のシュリンクフィルム付台紙の第２の実施形態のシュリンクフィルムを取り付ける前の状態を模式的に示した説明図、図９は、本発明のシュリンクフィルム付台紙の第２の実施形態で物品を包装した包装体を模式的に示した説明図、図１０（Ａ）は、本発明のシュリンクフィルム付台紙の第２の実施形態で物品を包装した包装体を上から見た状態を模式的に示した説明図、（Ｂ）は、本発明のシュリンクフィルム付台紙の第２の実施形態で物品を包装した包装体を横から見た状態を模式的に示した説明図である。
【００４３】
第２の実施形態のシュリンクフィルム付台紙２００は、図７のように、台紙１のおもて面に筒状にしたシュリンクフィルム２を接着剤塗布部３の接着剤を介して取り付けられている。
【００４４】
台紙１には、図８のように、左右中央部分に縦方向に縦スリット４が設けられている。また、縦スリット４の上端より左右に伸びる横方向の横スリット５が設けられている。そして、シュリンクフィルム付台紙１００と異なり、縦スリット４の下端より左右に伸びる横方向の下側横スリット９が、さらに設けられている。
【００４５】
横スリット５の長さ、及び、下側横スリット９の長さは、包装する物品の幅方向の長さより小さくして、物品が裏側に抜けない程度の長さにする。
【００４６】
そして、接着剤を塗布した接着剤塗布部３が、縦スリット４の左右で、横スリット５と下側横スリット９の間に設けられている。本実施形態では、接着剤塗布部３が横スリット５の上方にも設けられている。
【００４７】
また、台紙１には、縦スリット４をまたぐように縦方向の折罫６ａが設けられていて、さらに、横スリット５の左右端から上下に伸びる折罫６ｂ、６ｃが設けられている。そして、台紙１の左右中央の上端部近傍に貫通孔７が設けられている。貫通孔７は、店舗などで吊り下げて陳列するときに、フックなどに掛けるための吊り下げ孔である。
【００４８】
筒状にしたシュリンクフィルム２は、平らなシュリンクフィルムを両側縁が重なるように、筒状に丸めて重なり合った側縁部分を接着して封筒貼り部を設けて、筒状とし、この封筒貼りしたシュリンクフィルムを、筒をつぶすように折って、図８のように、筒状のシュリンクフィルム２としたものである。
【００４９】
この筒状のシュリンクフィルム２を台紙１に接着剤塗布部３の接着剤を介して取り付け、図７のような、シュリンクフィルム付台紙２００を構成している。
【００５０】
本実施形態のシュリンクフィルム付台紙２００に、図３のシュリンクフィルム付台紙１００と同様に、包装する物品８を挿入し、シュリンクトンネルを通したりして、加熱すると、図９のように、シュリンクフィルム２が収縮して物品８に密着して、包装される。
【００５１】
物品８は、容器本体８ａとキャップ８ｂとからなるボトルである。物品８は、容器本体８ａとキャップ８ｂの太さの違いから段差のある形状となっている。
【００５２】
図１０（Ａ）は、上から見た状態、（Ｂ）は横から見た状態である。このように、縦スリット４を押し開いて、物品８の一部が台紙１の裏側に出てくる。横スリット５に加え下側横スリット９も設けてあるので、折罫６ｂ、６ｃで折られて、縦スリット４全体が同じように開くことができる。このようになるので、台紙１が上下に反ってしまうことを完全に防いでいる。
【００５３】
また、縦の３本の折罫６ａ、６ｂ、６ｃが設けられているので、左右に反ってしまうことも防止できる。そして、シュリンクフィルム付台紙２００に物品を包装した包装体は美粧性が優れている。
【００５４】
本実施形態のシュリンクフィルム付台紙２００では、台紙１に、縦に３本の折罫６ａ、６ｂ、６ｃを設けたが、物品８の厚さがあまりないときには左右に反ってしまう恐れがないので、これを省略することもできる。
【００５５】
本実施形態のシュリンクフィルム付台紙２００では、横スリット５を一本刃で幅の無いスリットで設け、縦スリット４を貫通孔にして幅のあるスリットで設けたが、これに限ることなく、横スリット５や縦スリット４を幅の無いスリットや幅のあるスリットにしたり、あるいは破線状の切れ目で設けておき、加熱してシュリンクフィルム２が収縮するときに、破断してスリットになるようにしたりしてもよい。
【００５６】
本発明のシュリンクフィルム付台紙２００の製造方法は、縦スリット４、横スリット５、及び、貫通孔７を抜き工程で開けるときに同時に、下側横スリット９を設ける以外は、シュリンクフィルム付台紙１００の製造方法と同様である。
【００５７】
このシュリンクフィルム付台紙２００を用いて物品８を包装する方法も、シュリンクフィルム付台紙１００と同様である。
【００５８】
尚、加熱して、シュリンクフィルム２を物品８に密着させた後も、加熱しさらに収縮させると縦スリットが開いて、この部分のシュリンクフィルム２が縦に裂け、消費者が、物品８をシュリンクフィルム付台紙１００から取り出すのが容易になることも、シュリンクフィルム付台紙１００と同様である。
【符号の説明】
【００５９】
１００、２００・・・シュリンクフィルム付台紙
１・・・台紙
２・・・シュリンクフィルム
３・・・接着剤塗布部
４・・・縦スリット
５・・・横スリット
６ａ、６ｂ、６ｃ・・・折罫
７・・・貫通孔
８・・・物品
８ａ・・・容器本体
８ｂ・・・キャップ
９・・・下側横スリット
【図１】
2015160645.tif 000003
【図２】
2015160645.tif 000004
【図３】
2015160645.tif 000005
【図４】
2015160645.tif 000006
【図５】
2015160645.tif 000007
【図６】
2015160645.tif 000008
【図７】
2015160645.tif 000009
【図８】
2015160645.tif 000010
【図９】
2015160645.tif 000011
【図１０】
2015160645.tif 000012